(57)【要約】【課題】開閉体の室内側面に生じた水が室内側に流れ込まないようにしつつ、排水される前の水や排水口を見えにくくして意匠性の向上を図った開口部装置を提供する。【解決手段】建物開口部に設けられる枠体１内に開閉体２を室内外方向に開閉自在に納めてなり、枠体１を構成する下枠１１は、開閉体２の室内面下端部と対向する位置に下枠１１から開閉体２の室内面に渡って上面が延びる気密材１７ａを取付ける気密材取付部１７を有すると共に、気密材取付部１７よりも上方に突出する突出部１８を有し、突出部１８の開閉体２の室内面と対向する面と気密材１７ａの上面及び開閉体２の室内面とで水受け溝１９を形成し、水受け溝１９を構成する突出部１８の面には排水口１８ａを設けてなる。【選択図】図４
2009185555.tif 000002
【特許請求の範囲】
【請求項１】
建物開口部に設けられる枠体内に開閉体を室内外方向に開閉自在に納めてなる開口部装置において、
前記枠体を構成する下枠は、前記開閉体の室内面下端部と対向する位置に、上面が前記下枠から前記開閉体の室内面に渡る気密材を取付ける気密材取付部を有すると共に、該気密材取付部よりも上方に突出する突出部を有し、該突出部の前記開閉体の室内面と対向する面と前記気密材の上面及び前記開閉体の室内面とで水受け溝を形成し、該水受け溝を構成する前記突出部の面には排水口を設けてなることを特徴とする開口部装置。
【請求項２】
前記下枠は金属材からなり、前記突出部は樹脂材により形成され前記下枠に取付けられる下枠アタッチ材によって形成されることを特徴とする請求項１記載の開口部装置。
【請求項３】
前記開閉体の室内面は樹脂製の部材が配置されると共に、前記気密材も樹脂材により形成されてなり、前記水受け溝は全面が樹脂材により構成されることを特徴とする請求項２記載の開口部装置。
【請求項４】
前記突出部には内部に中空部が形成され、前記排水口は前記中空部と連通することを特徴とする請求項１〜３のいずれか１項に記載の開口部装置。
【請求項５】
前記下枠は前記突出部の中空部と連通する下枠中空部を備え、該下枠中空部は室外側に水を排出する下枠排水口を有してなることを特徴とする請求項４記載の開口部装置。
【発明の詳細な説明】
【技術分野】
【０００１】
本発明は、突き出し窓、辷り出し窓、外倒し窓等を構成するように枠体に障子を開閉自在に取付けたサッシや枠体にドア体を開閉自在に取付けてなり勝手口等に用いられるドアなどの開口部装置に関し、特に室内側で生じた結露水等の水を排水するための排水口を下枠に設けた開口部装置に関する。
【背景技術】
【０００２】
従来、建物開口部に枠体を取付け、その内部に開閉体を室内外方向に開閉自在となるように納めた開口部装置が知られている。開口部装置としては、突き出し窓、辷り出し窓、外倒し窓などを構成するように枠体に障子を開閉自在に取付けたサッシや、枠体内部に障子の代わりにドア体を取付けたドアなどがある。このような開口部装置において、障子やドアである開閉体には、室内面に結露等を生じることにより、水を室外側に排水する必要を生じる場合がある。このため、枠体を構成する下枠の上面に排水口を設けて、この排水口から下枠内部に水を導いて排水するようにしていた。このような開口部装置としては、例えば特許文献１に挙げるようなものがある。
【特許文献１】特開２００１−２８０００６号公報
【発明の開示】
【発明が解決しようとする課題】
【０００３】
しかし、従来の開口部装置は、排水口が下枠上面にあったため、排水される前の下枠上面に溜まった水が室内側から見えると共に、排水口も室内側から見えやすいため、意匠性を損ねることとなっていた。
【０００４】
本発明は、前記課題を解決すべくなされたものであり、開閉体の室内側面に生じた水が室内側に流れ込まないようにしつつ、排水される前の水や排水口を見えにくくして意匠性の向上を図った開口部装置を提供することを目的とする。
【課題を解決するための手段】
【０００５】
前記課題を解決するため、本発明に係る開口部装置は、建物開口部に設けられる枠体内に開閉体を室内外方向に開閉自在に納めてなる開口部装置において、
前記枠体を構成する下枠は、前記開閉体の室内面下端部と対向する位置に、上面が前記下枠から前記開閉体の室内面に渡る気密材を取付ける気密材取付部を有すると共に、該気密材取付部よりも上方に突出する突出部を有し、該突出部の前記開閉体の室内面と対向する面と前記気密材の上面及び前記開閉体の室内面とで水受け溝を形成し、該水受け溝を構成する前記突出部の面には排水口を設けてなることを特徴として構成されている。
【０００６】
また、本発明に係る開口部装置は、前記下枠は金属材からなり、前記突出部は樹脂材により形成され前記下枠に取付けられる下枠アタッチ材によって形成されることを特徴として構成されている。
【０００７】
さらに、本発明に係る開口部装置は、前記開閉体の室内面は樹脂製の部材が配置されると共に、前記気密材も樹脂材により形成されてなり、前記水受け溝は全面が樹脂材により構成されることを特徴として構成されている。
【０００８】
さらにまた、本発明に係る開口部装置は、前記突出部には内部に中空部が形成され、前記排水口は前記中空部と連通することを特徴として構成されている。
【０００９】
そして、本発明に係る開口部装置は、前記下枠は前記突出部の中空部と連通する下枠中空部を備え、該下枠中空部は室外側に水を排出する下枠排水口を有してなることを特徴として構成されている。
【発明の効果】
【００１０】
本発明に係る開口部装置によれば、枠体を構成する下枠は、開閉体の室内面下端部と対向する位置に、上面が下枠から開閉体の室内面に渡る気密材を取付ける気密材取付部を有すると共に、気密材取付部よりも上方に突出する突出部を有し、突出部の開閉体の室内面と対向する面と気密材の上面及び開閉体の室内面とで水受け溝を形成し、水受け溝を構成する突出部の面には排水口を設けてなることにより、開閉体の室内面に生じた結露水等を水受け溝に導くので、水が室内側に流れ込まないようにすると共に、導かれた水を室内側から視認しにくいようにすることができ、開口部装置の意匠性を損ねないようにすることができる。また、水受け溝からの排水は、突出部の室外側面に形成される排水口によってなされるので、排水口を室内側から見えないようにすることができ、意匠性を向上させることができる。
【００１１】
また、本発明に係る開口部装置によれば、下枠は金属材からなり、突出部は樹脂材により形成され下枠に取付けられる下枠アタッチ材によって形成されることにより、室内側に露出する部分を樹脂材で構成することとなり、断熱性及び意匠性を向上させることができる。
【００１２】
さらに、本発明に係る開口部装置によれば、開閉体の室内面は樹脂製の部材が配置されると共に、気密材も樹脂材により形成されてなり、水受け溝は全面が樹脂材により構成されることにより、さらなる断熱性の向上及び意匠性の向上を図ることができる。
【００１３】
さらにまた、本発明に係る開口部装置によれば、突出部には内部に中空部が形成され、排水口は中空部と連通することにより、水受け溝からの水を一旦下枠内に導いて排水を行うことができる。
【００１４】
そして、本発明に係る開口部装置によれば、下枠は突出部の中空部と連通する下枠中空部を備え、下枠中空部は室外側に水を排出する下枠排水口を有してなることにより、下枠上面に浸入した水と共に水受け溝からの水を排水することができる。
【発明を実施するための最良の形態】
【００１５】
本発明の実施形態について図面に沿って詳細に説明する。本実施形態では、枠体内に開閉体を開閉自在に納めてなる開口部装置の一種として、建物の出入口として用いられるドアを示す。図１には本実施形態におけるドアの正面図を示している。この図に示すように、本実施形態のドアは、建物の開口部に取付けられるドア枠体１に対し、開閉体であるドア本体２が開閉自在に納められて構成される。ドア本体２は、方形状に框組みされてなる框体３内に複層ガラスからなるパネル体４が納められてなり、框体３には一側部に手で持って開閉するための把手部５及びロック部６が取付けられ、吊元側には蝶番７が設けられてドア枠体１に対して開閉自在とされている。
【００１６】
図２にはドアの縦断面図を、図３にはドアの横断面図を、それぞれ示している。これら各図に示すように、ドア枠体１は上枠１０と下枠１１及び左右の縦枠１２、１２を方形状に枠組みして構成されている。各枠はそれぞれ建物躯体に対してビス止め固定されている。また、各枠はそれぞれ金属材の室内側に樹脂材を配設してなる複合材により構成されている。なお、下枠１１の室内側には、床材９が配置されている。
【００１７】
ドア本体２を構成する框体３は、上框２０と下框２１及び左右の縦框２２、２２を方形状に框組みして構成されている。各框は、金属框２３の室内側に樹脂框２４を配設し、框体３の室内側面は樹脂框２４で構成されるようにしている。ドア枠体１とドア本体２が、いずれも室内側には樹脂材のみが露出するようにされていることで、断熱性及び意匠性の向上が図られている。パネル体４は、框体３にグレチャン２５を介して保持固定されている。
【００１８】
次に、ドア枠体１を構成する下枠１１の排水構造について説明する。図４には、図２の下枠１１付近拡大図を示している。下枠１１は、金属材からなる金属下枠１３によって主に構成されている。金属下枠１３は、断面中空状に形成されており、内部に下枠中空部１３ａを有している。金属下枠１３の室外面には下枠排水口１３ｂが形成されており、下枠１１の上面からの水を下枠中空部１３ａ内に導いた上でこの下枠排水口１３ｂから外部に排水するようにしている。また、金属下枠１３の下枠中空部１３ａは、複数の領域に仕切られており、その仕切には内部連通孔１３ｃが形成されて、各領域間を水が流れて最終的には下枠排水口１３ｂから外部に排水できるようにしている。
【００１９】
金属下枠１３においてドア本体２を構成する下框２１の下端部に対向する位置には、気密材取付部１７が形成されており、この気密材取付部１７に気密材１７ａが取付けられる。気密材１７ａは軟質の樹脂材からなり、その上面は金属下枠１３から下框２１の室内面に渡るように形成されている。
【００２０】
金属下枠１３の気密材取付部１７に隣接する上面には、アタッチ材取付部１３ｄが形成され、このアタッチ材取付部１３ｄには樹脂材からなる下枠アタッチ材１４が設けられる。下枠アタッチ材１４は、金属下枠１３に取付けられることで、下枠１１に気密材取付部１７より上方に突出する突出部１８を形成する。下枠アタッチ材１４は、上面が平坦状に形成され、室外側面は下框２１の下端部と対向する。また、下枠アタッチ材１４の内部と金属下枠１３とで中空部１４ａが形成される。
【００２１】
このように設けられた下枠アタッチ材１４の室外側面と気密材１７ａの上面、及び下框２１の下端部室内面によって、凹状の水受け溝１９が形成される。水受け溝１９は、ドア本体２の室内側面と連続状であるため、ドア本体２の室内側面において生じた結露水等が流れ込む。そして、水受け溝１９を構成する下枠アタッチ材１４の室外側面には、排水口１８ａが形成されており、水受け溝１９に流れ込んだ水を中空部１４ａ内に導くようにしている。前述のように、金属下枠１３には内部連通孔１３ｃが形成されているので、中空部１４ａに導かれた水は、さらに内部連通孔１３ｃを介して金属下枠１３の下枠排水口１３ｂに導かれ、外部に排水される。排水口１８ａは下枠アタッチ材１４の長手方向に１箇所あるいは複数箇所設けることができる。なお、金属下枠１３の下枠排水口１３ｂや内部連通孔１３ｃについても、長手方向に１箇所あるいは複数箇所設けることができる。
【００２２】
水受け溝１９を構成する突出部１８の室外側面と気密材１７ａ及び下框２１の下端部室内面は、いずれも樹脂材によって構成されており、しかもドア本体２の室内面で生じた水を凹状の水受け溝１９に導くようにしたので、導かれた水を室内側から視認しにくいようにすることができ、ドアの意匠性を損ねないようにすることができる。また、水受け溝１９からの排水は、突出部１８を形成する下枠アタッチ材１４の室外側面に形成される排水口１８ａによってなされるので、排水口１８ａを室内側から見えないようにすることができ、意匠性を向上させることができる。
【００２３】
下枠１１上面において下枠アタッチ材１４の室内側には、室内側材１５が設けられる。室内側材１５は樹脂材によって形成され、金属下枠１３に固定される固定部材１６に対して取付固定される。固定部材１６は、金属下枠１３の室内側端部付近の上面に対してネジ止めされることで固定される。固定部材１６には上方に向かって開口する嵌合凹部１６ａが形成されており、一方で室内側材１５には下面に嵌合突起１５ａが形成されていて、室内側材１５の嵌合突起１５ａを固定部材１６の嵌合凹部１６ａに挿入することで、両者が嵌合し固定がなされる。
【００２４】
室内側材１５は、上面が下枠アタッチ材１４の室内端部から床材９に渡るように形成されている。これによって、下枠アタッチ材１４から床材９までの間において金属下枠１３が露出しないようにすることができ、また床材９から下枠アタッチ材１４に渡る上面に大きな段差を生じないようにすることができる。
【００２５】
本実施形態では、金属下枠１３に樹脂材からなる下枠アタッチ材１４を取付けて突出部１８を形成しているが、突出部１８を含めて金属材で構成するようにしてもよい。図５には、突出部１８を金属下枠１３に形成した場合の下枠１１付近の拡大図を示している。この図に示すように、水受け溝１９を構成する突出部１８を金属下枠１３に一体的に形成している。
【００２６】
突出部１８は、図４に示すものと同様に、気密材取付部１７より上方に突出するように形成され、その室外側面は下框２１の下端部と対向し、気密材１７ａとで水受け溝１９を構成する。また、突出部１８の内部には下枠中空部１３ａが形成されると共に、下框２１の下端部と対向する突出部１８の室外側面には排水口１８ａが形成される。これにより、ドア本体２の室内面に生じた水が水受け溝１９に導かれ、排水口１８ａから金属下枠１３の下枠中空部１３ａに導かれ、さらに下枠排水口１３ｂから外部に排水される。
【００２７】
また、本実施形態では、下枠１１の室内側に板材からなる床材９を配置しているが、それ以外の床材であってもよい。図６には下枠１１の室内側にカーペットを有する床材９を配置したものを示しており、また図７には下枠１１の室内側にデッキ材を有する床材９を配置したものを示している。
【００２８】
以上、本発明の実施形態について説明したが、本発明の適用はこれら実施形態には限られず、その技術的思想の範囲内において様々に適用されうるものである。例えば、本実施形態では枠体内に開閉体を納めた構造としてドアを示したが、室内外方向に開閉自在な障子を枠体内に納めたサッシであってもよく、突き出し窓、辷り出し窓、外倒し窓等のサッシに本発明を適用することもできる。
【図面の簡単な説明】
【００２９】
【図１】本実施形態におけるドアの正面図である。
【図２】ドアの縦断面図である。
【図３】ドアの横断面図である。
【図４】図２の下枠付近拡大図である。
【図５】突出部を金属下枠に形成した場合の下枠付近の拡大図である。
【図６】下枠の室内側にカーペットを有する床材を配置したドアにおける下枠付近の拡大図である。
【図７】下枠の室内側にデッキ材を有する床材を配置したドアにおける下枠付近の拡大図である。
【符号の説明】
【００３０】
１    ドア枠体
２    ドア本体
９    床材
１０    上枠
１１    下枠
１２    縦枠
１３    金属下枠
１３ａ  下枠中空部
１３ｂ  下枠排水口
１３ｃ  内部連通孔
１３ｄ  アタッチ材取付部
１４    下枠アタッチ材
１４ａ  中空部
１５    室内側材
１５ａ  嵌合突起
１６    固定部材
１７    気密材取付部
１７ａ  気密材
１８    突出部
１８ａ  排水口
１９    水受け溝
【図１】
2009185555.tif 000003
【図２】
2009185555.tif 000004
【図３】
2009185555.tif 000005
【図４】
2009185555.tif 000006
【図５】
2009185555.tif 000007
【図６】
2009185555.tif 000008
【図７】
2009185555.tif 000009